(57)【特許請求の範囲】
【請求項１】
軸筒内面に形成した、回転カムを前後に摺動案内し回転させるためのカム溝に、回転カムに形成した突起およびノック体の外周面に形成した突部を係合するとともに、該突部より後端側に、凹凸部および／または貫通孔を一体に形成してなり、ノック体を押圧することにより、軸筒内にスプリングにより軸筒後端方向へ付勢して摺動自在に配置した筆記具用インキを収容してなるインキ収容管を摺動させ、インキ収容管の先端部に配設した筆記部を軸筒先端開口部より出没させる、回転カムからなる繰出機構を具備したノック式筆記具において、前記突部と、凹凸部および／または貫通孔を有する前記ノック体を割り型で一体に成形するとともに、割り型の割方向をノック体の軸心に対し垂直方向とし、前記突部が、割り方向に対し抵抗となる部分を削り、切り欠き部を形成したことを特徴とするノック式筆記具。
【請求項２】
前記カム溝数が、６本以上形成してあるとともに、ノック体の突起をカム溝と同数形成したことを特徴とする請求項１に記載のノック式筆記具。
【請求項３】
前記ノック体が、ノック体の中心と、隣接する２箇所の突部と突部の中心位置とを結んだ線で、割り型を分割したことを特徴とする請求項１又は２に記載のノック式筆記具。
【請求項４】
前記ノック体が、ノック体の中心を通って対向する２箇所の突部の、それぞれの中心位置を結んだ線で、割り型を分割したことを特徴とする請求項１又は２に記載のノック式筆記具。
【発明の詳細な説明】
【０００１】
【発明の属する技術分野】
本発明は、回転カムからなる繰出機構を備えたノック式筆記具に関する。
【０００２】
【従来の技術】
従来から、ノック体を押圧することにより、回転カムの回転の作用によりレフィル先端部のペン先部を軸筒先端開口部より出没させる回転カムによる繰出機構を具備したノック式筆記具については、よく知られている。こうした回転カム機構は、回転カムの突起およびノック体の突部をカム溝に係合させて配設している。
【０００３】
また、ノック体に突部を有し、さらに突部の後端側に凹凸部や貫通孔を成形にて形成するためには、抜き型でなく割り型を用いることは当業者なら容易に思い付くことである。そこで、ノック体の突部を割り型にて成形可能なように、突部を２個（ノック体の中心に対し対向する位置）または、４個（前記対向する突部およびその突部に対し垂直方向の位置）形成していた。また、突部の形状は、カム溝に係合した後、容易に回転方向へ空回りしないように、軸心方向に対し、横断面でみるとカム溝と同形状、例えば、カム溝と略同形の箱型状や台形状、円弧状等で形成していた。
【０００４】
【発明が解決しようとする課題】
しかしながら、回転カムの突起の数やノック体の突部の数が少ないと、個々の突起または突部に掛かる負荷が大きくなるため、摩耗量も大きくなる。この摩耗によりノック体のガタツキ等が発生したり、経時的に安定したノック作動ができなくなるという問題が生じるため、突部の数を増やし、例えば６個、８個形成すると、前記した割り型にて成形可能な突部以外に突部が形成されるため割り型で成形できなくなってしまう。そのため凹凸部および／または貫通孔を一体に形成することができずデザインの幅を広げることが出来なかった。
【０００５】
本発明は上記問題に鑑み、突部の位置や数に関係なく、ノック体に凹凸部および／または貫通孔を一体に形成しデザインの幅を広げることができる、ノック式筆記具を提供するものである。
【０００６】
【課題を解決するための手段】
前記目的を達成するために本発明では、軸筒内面に形成した、回転カムを前後に摺動案内し回転させるためのカム溝に、回転カムに形成した突起およびノック体の外周面に形成した突部を係合するとともに、該突部より後端側に、凹凸部および／または貫通孔を一体に形成してなり、ノック体を押圧することにより、軸筒内にスプリングにより軸筒後端方向へ付勢して摺動自在に配置した筆記具用インキを収容してなるインキ収容管を摺動させ、インキ収容管の先端部に配設した筆記部を軸筒先端開口部より出没させる、回転カムからなる繰出機構を具備したノック式筆記具において、前記突部と、凹凸部および／または貫通孔を有する前記ノック体を割り型で一体に成形するとともに、割り型の割方向をノック体の軸心に対し垂直方向とし、前記突部が、割り方向に対し抵抗となる部分を削り、切り欠き部を形成したものである。
【０００７】
前記カム溝数が、６本以上形成してあるとともに、ノック体の突起をカム溝と同数形成するものである。
【０００８】
前記ノック体が、ノック体の中心と、隣接する２箇所の突部と突部の中心位置とを結んだ線で、割り型を分割するものである。
【０００９】
前記ノック体が、ノック体の中心を通って対向する２箇所の突部の、それぞれの中心位置を結んだ線で、割り型を分割するものである。
【００１０】
本発明における回転カムからなる繰出機構とは、例えば、軸筒の内壁面に回転カムを前後に摺動案内し回転させるためのカム溝を形成し、該カム溝に回転カムに形成した突起を係合して配設し、回転カムの後端に回転カムを摺動し回転を付与するためのカム部を有し軸筒の後端開口部より外方に突出したノック体を、ノック体に形成した突部をカム溝に係合した構造等で、ノック体を押圧することによりレフィル先端部のペン先部を軸筒先端開口部より出没可能とするものである。
【００１１】
また、本発明の割り型とは、成形に用いる金型において一般的に知られている金型のことであり、割方向とは、この割り型の分割方向のことをいうものである。
【００１２】
【発明の実施の形態】
本発明におけるノック体は、割り型にて成形するので、ポリエチレンテレフタレート、ポリカーボネート、ポリスチレン、ＡＢＳ樹脂等の一般的に知られているノック体に使用する樹脂を適宜選択して使用することができる。
【００１３】
また、カム溝は軸筒内面に２本、４本、６本、８本等、適宜設定し形成することができるが、回転カムの突起は、カム溝数の半数で形成するため、カム溝数が少ないと回転カムの突起の数も少なくなる。さらに突部の数も、例えばカム溝８本に対し突部も同数の８個または、組立性を考慮し、カム溝８本に対し突部４個というように、カム溝に対し突部を低減して形成してもよいが、前述したように突起の数や突部の数が少ないと個々の負荷が大きくなり摩耗し易くなるので、突起の数や突部の数は多い方が好ましく、カム溝の数は、軸筒内面に６本以上形成し、突部をカム溝と同数形成すると突起および突部の摩耗が減少する傾向が大きくなるので好ましい。
【００１４】
【実施例】
図１から４に示すノック式筆記具１は、前軸２と後軸３を螺合して軸筒を形成し、この軸筒内に回転カム９からなる繰出機構を具備している。該繰出機構は、従来から知られているもので、簡単に説明すると、後軸３の内壁面に回転カム９を前後に摺動案内し回転させるためのカム溝１１を８本形成し、このカム溝１１に、回転カム９に形成した４本の突起９ａを係合して配設してある。回転カム９の後端には、前記回転カム９を摺動し回転を付与するためのカム部６を先端に有し、外周面にカム溝１１と同数の８個の突部１０を形成したノック体５を、ノック体５の突部１０を前記カム溝１１に係合し、後端部が軸筒後端３ａの開口部より外方に突出した状態に配設した構造である。
【００１５】
軸筒内の回転カム９の前方には、筆記具用インキ（図示せず）を収容したインキ収容管８をスプリング７により軸筒後端３ａ方向へ付勢して、摺動自在に配設してある。また、前軸２の把持部にはグリップ部材１２を配設し、後軸３にはクリップ１４を一体に形成してある。
【００１６】
ノック体５は割り型１５にて成形したもので、成形時にノック体の突部１０が、ノック体５の中心を通り対向する２箇所の突部の、それぞれの中心位置を結んだ線（図４のＬ−Ｌ線）を割り型の分割線とし、ノック体の軸心（図３のＭ−Ｍ線）に対し垂直方向となる割り方向（図４の矢印Ｆ１、Ｆ２方向）に割り型１５を割った時、抵抗となる部分を削ることにより、切り欠き部１０ａを形成し、また、デザイン上およびノック操作し易いように、突部１０より後端部に凹凸部１２を一体に形成してある。
【００１７】
ノック体５を連接する際には、軸筒後端３ａの開口部から、ノック体５の突部１０を軸筒内に形成したカム溝１１に係合させて配設するが、前述したように突部１０に切り欠き部１０ａを形成しているので、軸筒内壁面に接する部分が少なく、摩擦抵抗が小さくなるため挿入し易い。
【００１８】
ノック体５を押圧することにより回転カム９はカム溝１１に沿って前進し、ノック体５のカム部６の作用により回転カム９を回転させて、筆記部４を軸筒先端開口部２ａより出没することができる。
【００１９】
図５から７に示す第二の実施例のノック式筆記具２１は、実施例１と同様に、後軸２３の内壁面に回転カム９を前後に摺動案内し回転させるためのカム溝３１を８本形成し、このカム溝に、回転カム９に形成した４本の突起９ａを係合して配設してある。回転カム９の後端には、前記回転カム９を摺動し回転を付与するためのカム部（図示せず）を先端に有し、外周面にカム溝３１と同数の８個の突部３０を形成したノック体２５を、ノック体２５の突部３０を前記カム溝３１に係合し、後端部が軸筒後端２３ａの開口部より外方に突出した状態に配設した構造である。
【００２０】
ノック体２５は割り型３５にて成形したもので、成形時にノック体２５の突部３０が、ノック体２５の中心と、隣接する２箇所の突部と突部の中心位置とを結んだ線（図７のＮ−Ｎ線）を割り型の分割線とし、ノック体の軸心に対し垂直方向となる割り方向（図７の矢印Ｇ１、Ｇ２方向）に割り型を割った時、抵抗となる部分を削ることにより切り欠き部３０ａを形成し、また、突部３０より後端部に貫通孔３２を形成し、この貫通孔３２に紐部材３６を通し、紐付きの筆記具としてある。
【００２１】
ノック体２５を連接する際には、軸筒先端開口部２ａ側から、ノック体２５の突部３０を軸筒内に形成したカム溝３１に係合させて配設するが、前述したように突部３０に切り欠き部３０ａを形成しているので、軸筒内壁面に接する部分が少なく、摩擦抵抗が小さくなるため挿入し易い。
【００２２】
ノック体の形状は、実施例に例示したものに限らず、ノック体の突部より後端側に凹凸部および／または貫通孔を形成してあるものであれば特に限定されない。また、カム溝数や突部の数も実施例に例示したものに限られるものではないが、前述したように、突部の数は多い方が突部の摩耗が減少する傾向が大きくなるので好ましい。
【００２３】
【発明の効果】
本発明のノック式筆記具は、前述した構成なので、突部の位置や数に関係なく、ノック体に凹凸部および／または貫通孔を一体に形成しデザインの幅を広げることが可能な、回転カムからなるノック式筆記具を提供することができた。
【図面の簡単な説明】
【図１】本発明の第１の実施例を示すノック式筆記具の縦断面図である。
【図２】図１における一部省略したＡ−Ａ断面図である。
【図３】図１におけるノック体の拡大図である。
【図４】本発明の第１の実施例のノック体と割り型を示す拡大横断面図である。
【図５】本発明の第２の実施例を示すノック式筆記具の縦断面図である。
【図６】図５における一部省略したＢ−Ｂ断面図である。
【図７】本発明の第２の実施例のノック体と割り型を示す拡大横断面図である。
【符号の説明】
１、２１  ノック式筆記具
２  前軸
３、２３  後軸
４  筆記部
５、２５  ノック体
６  カム部
７  スプリング
８  インキ収容管
９  回転カム
１０、３０  突部
１０ａ、３０ａ  切り欠き部
１１、３１  カム溝
１２  凹凸部
３２  貫通孔
１５、３５  割り型
Ｆ１、Ｆ２、Ｇ１、Ｇ２  割り方向
Ｌ−Ｌ、Ｎ−Ｎ  分割線
Ｍ−Ｍ  軸心
【図１】
0004540078.tif 000002
【図２】
0004540078.tif 000003
【図３】
0004540078.tif 000004
【図４】
0004540078.tif 000005
【図５】
0004540078.tif 000006
【図６】
0004540078.tif 000007
【図７】
0004540078.tif 000008